(57)【要約】      （修正有）【課題】不正貼替え行為が行われようとした際に、ＲＦＩＤラベルとしての機能を消失させ、以後の不正を未然に防ぐとともに、簡単な構成で確実に破壊可能としたＲＦＩＤラベルを提供する。【解決手段】ラベル本体３あるいはＲＦＩＤインレット５の少なくともいずれか一方に切込み１３を形成することに着目し、アンテナ１０およびＩＣチップ９を有するＲＦＩＤインレット５を備えたラベル本体３を有するＲＦＩＤラベルであって、ＲＦＩＤインレット５あるいはラベル本体３の少なくともいずれか一方に、アンテナ１０の方向に向けて切込み１３を形成し、ラベル本体３の被貼付物からの剥離にともなってアンテナ１０を破壊可能としてある。【選択図】図１
2008134481.tif 000002
【特許請求の範囲】
【請求項１】
アンテナおよびＩＣチップを有するＲＦＩＤインレットを備えたラベル本体を有し、このラベル本体の裏面の粘着剤層により被貼付物に貼り付けるためのＲＦＩＤラベルであって、
前記ＲＦＩＤインレットあるいは前記ラベル本体の少なくともいずれか一方に、前記アンテナの方向に向けて切込みを形成し、
前記ラベル本体の前記被貼付物からの剥離にともなって前記アンテナを破壊可能としてあることを特徴とするＲＦＩＤラベル。
【請求項２】
前記切込みは、前記ラベル本体の外周部においてその多数本をその中心方向に向けてこれを形成したことを特徴とする請求項１記載のＲＦＩＤラベル。
【請求項３】
前記切込みは、前記ラベル本体あるいは前記ＲＦＩＤインレットの角部にこれを形成したことを特徴とする請求項１記載のＲＦＩＤラベル。
【請求項４】
前記切込みは、前記ラベル本体および前記ＲＦＩＤインレットにともにこれを形成するとともに、
前記ラベル本体の前記切込みおよび前記ＲＦＩＤインレットの前記切込みが、互いに平行ないし同一直線上にあることを特徴とする請求項１記載のＲＦＩＤラベル。
【請求項５】
前記切込みは、前記ＲＦＩＤインレットのみにこれを形成するとともに、
前記アンテナの内方側にこれを形成したことを特徴とする請求項１記載のＲＦＩＤラベル。
【請求項６】
前記切込みは、前記ＲＦＩＤインレットにおいて、前記アンテナの方向に向けて凸状あるいは凹状にこれを形成したことを特徴とする請求項１記載のＲＦＩＤラベル。
【発明の詳細な説明】
【技術分野】
【０００１】
本発明はＲＦＩＤラベルにかかるもので、とくにＲＦＩＤ（Ｒａｄｉｏ  Ｆｒｅｑｕｅｎｃｙ  Ｉｄｅｎｔｉｆｉｃａｔｉｏｎ）技術による、非接触で情報の読取りや読書きを行うためのＲＦＩＤラベルに関するものである。
【背景技術】
【０００２】
ＲＦＩＤラベルは、アンテナおよびＩＣチップを有するＲＦＩＤインレットを備えたラベル本体を有するもので、このＲＦＩＤラベルは、データ読取り書込み装置（リーダーライター、図示せず）からの電波の発信を受けて、ＩＣチップからのデータの読取りおよびＩＣチップへのデータの書込みが可能である。
さらに、ラベル本体の裏面の粘着剤層により被貼付物に貼り付けて、その被貼付物に関する情報をＩＣチップに記憶させるとともに、その表面に任意のプリンターにより所定情報を印字して表示することができる。
【０００３】
こうした構成のＲＦＩＤラベルは、多くのデータを記憶することができることから、各種の分野において使用されているが、とくに小売りや流通の分野において、商品その他の被貼付物に一度貼られたＲＦＩＤラベルを不正に剥がして他の物品に貼り付けるという不正貼替え行為を防止することが要請されている。
【０００４】
【特許文献１】特開２００５−１０７８１３号公報
【発明の開示】
【発明が解決しようとする課題】
【０００５】
本発明は以上のような諸問題にかんがみなされたもので、不正貼替え行為を防止可能なＲＦＩＤラベルを提供することを課題とする。
【０００６】
また本発明は、不正貼替え行為が行われたときに、ＲＦＩＤインレットのアンテナ部分を破壊してＲＦＩＤラベルとしての機能を消失させ、以後の不正を未然に防ぐことができるようにしたＲＦＩＤラベルを提供することを課題とする。
【０００７】
また本発明は、不正貼替え行為を防止するにあたって、できるだけ簡単な構成とすることが可能なＲＦＩＤラベルを提供することを課題とする。
【０００８】
また本発明は、不正貼替え行為が行われようとしたときに、ＲＦＩＤインレットのアンテナをできるだけ確実に破壊可能としたＲＦＩＤラベルを提供することを課題とする。
【課題を解決するための手段】
【０００９】
すなわち本発明は、ラベル本体あるいはＲＦＩＤインレットの少なくともいずれか一方に切込みを形成することに着目したもので、アンテナおよびＩＣチップを有するＲＦＩＤインレットを備えたラベル本体を有し、このラベル本体の裏面の粘着剤層により被貼付物に貼り付けるためのＲＦＩＤラベルであって、上記ＲＦＩＤインレットあるいは上記ラベル本体の少なくともいずれか一方に、上記アンテナの方向に向けて切込みを形成し、上記ラベル本体の上記被貼付物からの剥離にともなって上記アンテナを破壊可能としてあることを特徴とするＲＦＩＤラベルである。
【００１０】
上記切込みは、上記ラベル本体の外周部においてその多数本をその中心方向に向けてこれを形成することができる。
【００１１】
上記切込みは、上記ラベル本体あるいは上記ＲＦＩＤインレットの角部にこれを形成することができる。
【００１２】
上記切込みは、上記ラベル本体および上記ＲＦＩＤインレットにともにこれを形成するとともに、上記ラベル本体の上記切込みおよび上記ＲＦＩＤインレットの上記切込みが、互いに平行ないし同一直線上にあることができる。
【００１３】
上記切込みは、上記ＲＦＩＤインレットのみにこれを形成するとともに、上記アンテナの内方側にこれを形成することができる。
【００１４】
上記切込みは、上記ＲＦＩＤインレットにおいて、上記アンテナの方向に向けて、Ｕ字状やＶ字状などの凸状あるいは凹状にこれを形成することができる。
【００１５】
上記ラベル本体の裏面における粘着剤層の粘着剤は、粘着力が比較的強力な強粘着剤を塗布したものであることが望ましい。
【発明の効果】
【００１６】
本発明によるＲＦＩＤラベルにおいては、ＲＦＩＤインレットあるいはラベル本体の少なくともいずれか一方に、ＲＦＩＤインレットのアンテナの方向に向けて切込みを形成し、ラベル本体の被貼付物からの剥離にともなって、切込みがアンテナ方向に伸びるように切り広がり、アンテナの部分に至ってこれを破壊可能としたので、不正に貼り替えようとしてもＲＦＩＤインレットないしＲＦＩＤラベル自体としての機能が消失し、不正行為を実行することが不可能となる。
【発明を実施するための最良の形態】
【００１７】
本発明は、ＲＦＩＤインレットにおけるアンテナの方向に向けて切込みを形成したので、簡単な構成で不正貼替え行為の防止を実行することができるＲＦＩＤラベルを実現した。
【実施例】
【００１８】
つぎに本発明の第１の実施例によるＲＦＩＤラベル１を図１ないし図３にもとづき説明する。
図１は、ＲＦＩＤラベル１の平面図、図２は、図１のＩＩ−ＩＩ線断面図であって、ＲＦＩＤラベル１は、帯状の台紙２（剥離紙）と、ラベル本体３と、を有する。
【００１９】
ラベル本体３は、ラベル基材４と、ＲＦＩＤインレット５と、上層側の第１の粘着剤層６および下層側の第２の粘着剤層７と、を有し、第２の粘着剤層７の部分において台紙２に仮着してある。
【００２０】
ラベル基材４は、上質紙や合成紙などからこれを構成し、その表面に所定の情報を印字可能であるとともに、望ましくは強粘着剤による第１の粘着剤層６および第２の粘着剤層７の間にＲＦＩＤインレット５を挟んで保持している。
【００２１】
図３は、ＲＦＩＤインレット５の断面説明図であって、ＲＦＩＤインレット５は、基材フィルム８と、基材フィルム８の上に配線したＩＣチップ９およびアンテナ１０と、を有する。
なお図３に仮想線で示すように、ＲＦＩＤインレット５としては、上層保護フィルム１１および下層保護フィルム１２の両層あるいは、そのいずれか一方を備えていてもよい。
【００２２】
ＲＦＩＤラベル１においては、とくに図１および図２に示すように、ラベル本体３にはラベル基材４から第１の粘着剤層６まで貫いて多数本の切込み１３を所定長さで直線状に形成してある。
これらの切込み１３は、ラベル本体３の外周側から内方側に向けてすなわち中心方向に向けて、ほぼ均等な間隔で互いに平行に、かつ、ＲＦＩＤインレット５のアンテナ１０の方向に向けて、ただしわずかに手前までで止まる長さにこれを形成してある。
なお、ＲＦＩＤインレット５は、その使用する電波に応じてそのアンテナ１０の形状がループ状あるいは鈎の手状などと異なるものであり、アンテナ１０の形状に応じて切込み１３の大きさや位置および数を選択するものである。
【００２３】
こうした構成のＲＦＩＤラベル１において、ラベル本体３を台紙２から剥がし、第１の粘着剤層６の外周部および第２の粘着剤層７の部分を露出させて、この第１の粘着剤層６および第２の粘着剤層７により任意の被貼付物（図示せず）にＲＦＩＤラベル１（ラベル本体３）を貼り付けるものである。
しかして、不正な目的により、このＲＦＩＤラベル１を被貼付物から剥がそうとすると、ラベル本体３（ラベル基材４）の外周部のいずれかの切込み１３のいずれかの左右領域において、剥がれる領域と、被貼付物に貼り付いている領域とが分離し始まり、切込み１３がアンテナ１０の方向に切り広がり（伸びてゆき）、ラベル本体３の被貼付物からの剥離にともなって切込み１３がアンテナ１０に至って、アンテナ１０を切断し破壊することになる。
したがって、このＲＦＩＤラベル１は、その無線データ交信機能を消失し、意図していた不正行為を行うことが不可能になるとともに、切込み１３によるラベル本体３の切れ目が顕在化し、不正行為が発覚する。
なお、ＲＦＩＤラベル１においては、その外周部に多数本の切込み１３が形成されているので、ラベル本体３を剥がし始めると、いずれかの切込み１３が切れやすいとともに、不正行為者にも不正貼替え防止対策が施されていることを注目させることができる。
【００２４】
図４は、本発明の第２の実施例によるＲＦＩＤラベル２０の平面図であって、ＲＦＩＤラベル２０においては、ラベル本体３の角部（四隅）に斜め方向の切込み２１を対角線上にＲＦＩＤインレット５のアンテナ１０に向かって中央方向に形成してある。
【００２５】
こうした構成のＲＦＩＤラベル２０においても、上述のＲＦＩＤラベル１（図１）と同様に、不正貼替え行為を防止可能である。
とくに、ＲＦＩＤラベル２０においては、ラベル本体３の角部から切込み端部を開始して切込み２１を形成してあり、一般的には、剥がし開始端がこのような角部であることから、そもそも不正目的にもとづく剥がし行為自体を思い止まらせる効果がある。
【００２６】
図５は、本発明の第３の実施例によるＲＦＩＤラベル３０の平面図、図６は、図５のＶＩ−ＶＩ線断面図であって、ＲＦＩＤラベル３０においては、ＲＦＩＤインレット５（基材フィルム８ないしはその上層保護フィルム１１あるいは下層保護フィルム１２）の角部（四隅）に斜め方向の切込み３１を対角線上にＲＦＩＤインレット５のアンテナ１０に向かって中央方向に形成してあるとともに、ＲＦＩＤインレット５の外周側から内方側に向けてすなわち中心方向に向けて、ほぼ均等な間隔で互いに平行に、かつ、ＲＦＩＤインレット５のアンテナ１０の方向に向けて、ただしわずかに手前までで止まる長さに多数本の切込み３２を直線状に形成してある。
なお切込み３１、３２は、ＲＦＩＤインレット５のみに形成しておくこともできるが、図５中に仮想線で示すように、ＲＦＩＤラベル３０の製造時に切込み３１、３２を形成するための刃型（図示せず）の深さを調整することにより、第１の粘着剤層６あるいは第２の粘着剤層７のいずれか一方、あるいは第１の粘着剤層６および第２の粘着剤層７の両層にまで切込み３１、３２を延ばして形成しておくことが望ましい。
【００２７】
こうした構成のＲＦＩＤラベル３０においても、上述のＲＦＩＤラベル１（図１）およびＲＦＩＤラベル２０（図４）と同様に、ラベル本体３を剥がそうとすると切込み３１、３２がアンテナ１０方向に伸びてこれを切断するので、不正貼替え行為を防止可能である。
とくに、ＲＦＩＤラベル３０では、ラベル基材４の下層であるＲＦＩＤインレット５の角部から切込み３１を形成するとともに、その外周部に多数本の切込み３２を形成してあり、ＲＦＩＤインレット５自体は表面からは見えないので、剥がし行為自体を開始し、剥がされた部分がＲＦＩＤインレット５に至ってから、ＲＦＩＤインレット５がいずれかの切込み３１、３２に沿って切れて行くことになり、この時点で不正行為を思い止まらせる効果がある。
【００２８】
本発明においては、切込みは、ＲＦＩＤインレット５あるいはラベル本体３の少なくともいずれか一方にこれを形成することもできるが、その両方に形成してもよい。
すなわち、図７は、本発明の第４の実施例によるＲＦＩＤラベル４０の平面図であって、ＲＦＩＤラベル４０においては、ラベル本体３の切込み２１（第２の実施例、図４）およびＲＦＩＤインレット５の切込み３１（第３の実施例、図５）をともに形成している。
さらに、それぞれの切込み２１、３１が、互いに平行ないし同一直線上にあることが望ましい。
たとえば、図７中に仮想線で示すように、ＲＦＩＤインレット５の切込み３１と同一直線上にラベル本体３の切込み２１を追加して形成しておくこともでき、反対にラベル本体３の切込み２１と同一直線上にＲＦＩＤインレット５の切込み３１を形成しておくこともできる。
【００２９】
なお、図示は省略するが、ラベル本体３の外周部に第１の実施例（図１）と同様の多数本の切込み１３を形成し、また、ＲＦＩＤインレット５の外周部に第３の実施例（図５）と同様に多数本の切込み３２を形成しておくこともできる。
【００３０】
こうした構成のＲＦＩＤラベル４０においては、ラベル本体３およびＲＦＩＤインレット５にともに切込み２１および切込み３１がそれぞれ形成されているので、いずれかの切込み２１あるいは切込み３１において切り目が広がる可能性があり、不正剥がし行為の際にアンテナ１０が破壊しやすくなっている。
しかも、切込み２１および切込み３１が互いに平行か同一直線上にあることにより、剥がされて切り目が広がる方向が同一であり、アンテナ１０の破壊を助長することができる。
【００３１】
図８は、本発明の第５の実施例によるＲＦＩＤラベル５０の平面図であって、ＲＦＩＤラベル５０においては、ＲＦＩＤインレット５のみに、ループ状のアンテナ１０の内方側に凸状あるいは凹状たとえばＵ字状やＶ字状その他各種形状の切込み５１を形成している。
これらの切込み５１は、ＲＦＩＤインレット５において、アンテナ１０の方向に向けて凸状あるいは凹状にこれを形成すればよいものであるが、好ましくは、アンテナ１０の方向に向けてその一対を互いに反対方向に凸状とすることにより、その上流側あるいは下流側のいずれの方向から剥がされても、どちらかの切込み５１が切り広がる可能性があるようにすることができる。
もちろん、アンテナ１０の形状に応じて、切込み５１の形状、形成部位、数および大きさを任意に選択可能であるとともに、剥がし方向によって切込み５１による切り目が広がりやすい形状を採用することができる。
【００３２】
こうした構成のＲＦＩＤラベル５０においても、ラベル本体３ないしＲＦＩＤインレット５が剥がされる際に、ＲＦＩＤインレット５の切込み５１が直接切り広がり、内方側からアンテナ１０を破壊可能であって、不正貼替え行為を防止可能である。
【図面の簡単な説明】
【００３３】
【図１】本発明の第１の実施例によるＲＦＩＤラベル１の平面図である。
【図２】同、図１のＩＩ−ＩＩ線断面図である。
【図３】同、ＲＦＩＤインレット５の断面説明図である。
【図４】本発明の第２の実施例によるＲＦＩＤラベル２０の平面図である。
【図５】本発明の第３の実施例によるＲＦＩＤラベル３０の平面図である。
【図６】同、図５のＶＩ−ＶＩ線断面図である。
【図７】本発明の第４の実施例によるＲＦＩＤラベル４０の平面図である。
【図８】本発明の第５の実施例によるＲＦＩＤラベル５０の平面図である。
【符号の説明】
【００３４】
１  ＲＦＩＤラベル（第１の実施例、図１）
２  台紙
３  ラベル本体
４  ラベル基材
５  ＲＦＩＤインレット
６  第１の粘着剤層
７  第２の粘着剤層
８  基材フィルム
９  ＩＣチップ
１０  アンテナ
１１  上層保護フィルム
１２  下層保護フィルム
１３  切込み
２０  ＲＦＩＤラベル（第２の実施例、図４）
２１  斜め方向の切込み
３０  ＲＦＩＤラベル（第３の実施例、図５）
３１  斜め方向の切込み
３２  切込み
４０  ＲＦＩＤラベル（第４の実施例、図７）
５０  ＲＦＩＤラベル（第５の実施例、図８）
５１  Ｕ字状やＶ字状の切込み
【図１】
2008134481.tif 000003
【図２】
2008134481.tif 000004
【図３】
2008134481.tif 000005
【図４】
2008134481.tif 000006
【図５】
2008134481.tif 000007
【図６】
2008134481.tif 000008
【図７】
2008134481.tif 000009
【図８】
2008134481.tif 000010